(57)【要約】      （修正有）【課題】メガネ使用にともなう左右の鼻当てパット又は鼻当て部が鼻梁の両脇に当たることによる圧迫感と、両脇にいつまでも残るメガネ使用の痕跡をなくす構造を有する本読みメガネを提供する。【解決手段】鼻梁の上に１個の鼻当て２を載せてメガネを装着固定するメガネの構造とします。現行のメガネは２個の鼻当てパット又は鼻当て部の点で装着固定しているのに対し、考案した構造のメガネは１個の面でメガネの装着固定をするので、メガネの使用による重量の圧迫痛や痕跡を解消する。【選択図】図１
2019101389.tif 000002
【特許請求の範囲】
【請求項１】
本読みメガネは鼻の上に載せる１個の「鼻当て」を装備した構造。
【請求項２】
「鼻当て」はメガネフレーム本体とは一体化しておらず、上下に可動して鼻梁にフィットする構造。
【請求項３】
「鼻当て」の鼻梁に当たる面には、片面または両面に粘着性を持ったクッションを貼って使用することが出来る。
【発明の詳細な説明】
【発明の背景】
【０００１】  私は退職した後、約１年半程社会保険労務士の資格取得を目指して勉強した時期がありました。１日に１０時間以上机に向かいました。六法全書の小さな活字を見る度に、メガネを掛けなければならないのが苦痛でした。  どうしてメガネはこうも鼻に食い込んでくるのだろう。
【０００２】  私はメガネと鼻の間にガーゼやテッシュペーパを折り畳んで挟んでみました。ガーゼ、テッシュを気にしなければ、少しは楽になりました。
私は又指の太さの竹を３センチメートルほど切って２つに割りその１片を少し削って鼻の上に載せる「鼻当て」を作り、それをメガネに固定しました。竹の「鼻当て」が鼻梁の上に載りメガネが少し浮いてメガネに付いている左右の鼻当てパットが鼻梁の両脇を圧迫することはなく、長時間のメガネ使用でも随分と楽になりました。それから７，８ヵ月程経って、私は水道のゴムホースを輪切りにしたものを縦に切ってそれで「鼻当て」を幾つか作りました。ただメガネに固定するにも良い方法が見つからず、こんな事に時間ばかり取られてもおられず、セロテープでメガネに固定しました。ゴムホースは竹よりも鼻にはなじむような感じですが、セロテープが気になってしっくりしませんでした。
【０００３】  それからずうっと後になって、私は食品コーナーに並べられている食材の容器、白い発泡スチロールの容器の湾曲面をハサミで切り取って、メガネと鼻の間に差し込んで使いました。軽いし手軽に取替えが出来て挟んでいるのを気にしなければ鼻に優しいので楽です。
【０００４】  鼻梁の上に載せるだけの「鼻当て」でのメガネ装着は従来のメガネに比べ格段に楽なのですが、取り付けが固定のため、鼻梁に対し竹の「鼻当て」の面がしっくりしません。私の鼻はけして高くはないのですが、ほんの少し竹の面を上向きにと思ってもなかなか微調整は出来ません。発泡スチロールはメガネを脱着する度にずり落ちます。
【０００５】  今私達が使っているメガネは、左右に付いている鼻当てパット又はメガネフレームの鼻当て部を鼻梁の両脇に挟み込むように当てることによりメガネを固定しています。それにより鼻梁の両脇には圧迫感があり長時間のメガネの使用では圧迫痛を伴い、メガネを外しても鼻当てパット又は鼻当て部の圧迫による痕跡が鼻の両脇にいつまでも残り、美容上からも好ましくありません。
【０００６】  メガネの鼻梁両脇への圧迫を和らげるため、メガネはずいぶん軽量化されて来ました。それでもメガネの装着が左右２個の鼻当てパット又は鼻当て部による固定の構造であるかぎり、鼻梁両脇への圧迫とそれによる痕跡が無くなる事はありません。
【発明の概要】
【発明が解決しようとする課題】
【０００７】  メガネ使用にともなう左右の鼻当てパット又は鼻当て部が鼻梁の両脇に当たることによる圧迫感と、両脇にいつまでも残るメガネ使用の痕跡をなくす。
【課題を解決するための手段】
【０００８】  左右２個の鼻当てパット又は鼻当て部で鼻梁の両脇を挟み込みメガネを固定するこれまでの装置に対し、本読みメガネは鼻梁つまり鼻の上に１個の「鼻当て」を載せるだけのメガネの固定構造で、メガネの重量をこれまで鼻梁両脇に点で受けていたのに対し鼻の上、鼻梁に面で受けるためメガネの重みはあまり気にならず、メガネ使用による従来の圧迫はなくまたメガネ使用による鼻梁両脇への痕跡は顔面に残らない。【０００９】  本読みメガネの「鼻当て」はメガネのフレームとは一体化しておらず、公園に設置されているシーソ遊びのシーソ板が中央の固定部の心棒を中心にして上下に可動するように、「鼻当て」もメガネのフレームとの取り付け支点を中心に可動するので鼻梁の高い低いにかかわらずフィットする構造。【００１０】「鼻当て」の内側、鼻梁に当たる面に柔らかいフェルト様のパットを当てれば、更に装着感が優しくなる。【００１１】  私は肩凝りのため肩に貼っていた白いフェルトのシップ薬を切取って、「鼻当て」の内側に貼り付けてみました。柔らかいクッションのフェルトは優しい感じになりました。
また薬剤が付いているシップ面が鼻梁に当たるようにすると、少しひんやりして鼻にピッタリとして少々の動き運動ではメガネがずれません。新しい未使用のシップ薬は粘着力が強すぎてよくありませんでした。体に貼って使った後のシップ薬のわずかに残っている粘着くらいで丁度いいのです。でもこの場合フェルト面を鼻当てパットの内側にくっつけなければいけないのですが、なかなかくっ付きません。そこで使い古しのシップ薬を２枚切り取ってフェルト面どうしを張り合わせて両面を薬剤が付いているシップ面にしてつまり両面テープ状にして使いました。これですと鼻当てパットにも張り付き、鼻にやさしい「鼻当て」になりました。
普通にメガネを掛けて、下の方から人差し指を鼻梁にそってメガネの下に差し入れてメガネが少し持ち上がった、そのような感じです。
本読みメガネは、この様になれば楽しいなと思っています。
１  「鼻当て」の内側に貼り付けるフェルトに、香りを付ける。メ                        ガネを掛けていれば、やさしい香りに包まれ気持ちが和らぐ。
２  眠気覚ましや鼻づまりを和らげる薬剤を添加できれば、学生に                        もやさしいメガネとなる。
３  鼻梁に当たるフェルト面にも微弱な粘着性を持たせれば運動し                        てもメガネはずれにくいし簡単に取替えが出来て清潔です。
４  「本読みメガネの鼻当て」は形やサイズに多様性がありデザイ                        ンを施せば、ファッションや個性を楽しめる。
【図面の簡単な説明】
【００１２】
【図１】本読みメガネを正面から見た図面です。現行のメガネの鼻当てパット又は鼻当部が付いているところに、本読みメガネのフレームには突起部があり、この左右の突起部に本読みメガネの「鼻当て」は取り付けられています。取り付け部の支点で可動するので「鼻当て」はこの左右の支点を中心に上下に可動します。取り付けの突起部の形状はメガネフレームの材質によっても変わってきます。１  メガネフレーム  ２  「鼻当て」
【００１３】
【図２】［図１］の中央点線から切って真横から見た図面です。「鼻当て」をメガネのフレームに取り付けている図面です。この取り付け部を支点に「鼻当て」は上下に可動します。３  メガネフレーム  ４  レンズ  ５  メガネフレームと「鼻当て」の取り付けの支点  ６  「鼻当て」  ７  「鼻当て」の可動
【００１４】
【図３】本読みメガネを斜め前から見た図面ですが、これは本読みメガを掛けている、実際に装着している時の「鼻当て」の位置を示しています。８  メガネを掛けている時の「鼻当て」
【図１】
2019101389.tif 000003
【図２】
2019101389.tif 000004
【図３】
2019101389.tif 000005
【手続補正書】
【提出日】平成31年3月26日(2019.3.26)
【手続補正１】
【補正対象書類名】特許請求の範囲
【補正対象項目名】請求項２
【補正方法】変更
【補正の内容】
【請求項２】
「鼻当て」部はメガネフレームに固定しておらずその付け支点を中心に可動し鼻梁にフィットする構造。